(57)【要約】【課題】不正行為による内枠又は意匠枠の開放を確実に検知して不正を報知することができる遊技機の不正行為検出構造を実現すること。【解決手段】意匠枠３と外枠１との間に変位量検出装置６の引き出し、巻き取り可能に設けられたワイヤ状部材６０を架け渡し、かつ巻き取り位置よりも所定量引き出した状態を内枠２および意匠枠３の閉鎖状態の基準とし、内枠２又は意匠枠３が開放されてワイヤ状部材６０の引出量が基準（所定量）よりも多くなることで開放報知を行うようにする一方、開放報知を逃れるために各枠１，２，３間の隙間からワイヤ状部材６０が切断されても残ったワイヤ状部材６０が巻き取られて引出量が基準よりも少なくなることで不正報知を行い、店内を巡回中の従業員による不正行為の発見を容易にする。【選択図】        図１
2013220289.tif 000002
【特許請求の範囲】
【請求項１】
機台の外郭をなす外枠と、機台の前面をなす意匠枠と、意匠枠を支持する内枠とを備え、意匠枠と一体に内枠が外枠に対して前後方向に開閉回転可能にヒンジ結合され、かつ意匠枠が内枠に対して前記開閉方向と同一方向に開閉回転可能にヒンジ結合された遊技機において、
ワイヤ状部材と、
自動にワイヤ状部材を巻き取る巻取り手段と、
ワイヤ状部材の引き出し又は巻き取り動作に伴う巻取り手段の回転に応じて、ワイヤ状部材の引き出し変位量を検出するセンサとで変位量検出装置が構成され、
該変位量検出装置を、前記意匠枠および前記外枠のいずれか一方に設置するとともに、
前記意匠枠および前記外枠の他方に前記ワイヤ状部材の先端を、意匠枠と内枠とが外枠に対して閉鎖状態で、ワイヤ状部材の先端が前記巻取り手段から所定量を引き出された状態となるように連結せしめ、かつ意匠枠又は内枠の開放によりワイヤ状部材が引き出されるようになし、
ワイヤ状部材の前記所定量の引き出しを基準として、変位量検出装置によりワイヤ状部材の変位量が前記所定量よりも多く検出されたことを条件に、意匠枠又は内枠の開放の可能性を報知する開放報知手段と、
変位量検出装置によりワイヤ状部材の変位量が前記所定量よりも少なく検出されたことを条件に、不正行為の可能性を報知する不正報知手段と、を設けたことを特徴とする遊技機の不正行為検出構造。
【請求項２】
請求項１に記載の遊技において、
遊技を司る主制御装置と、
表示、音声等の制御を行うサブ制御装置と、を具備し、
主制御装置は前記開放報知手段および前記不正報知手段を有し、
前記変位量検出装置は、検出した前記ワイヤ状部材の引き出し変位量に対応する電気信号を生成し、前記主制御装置と接続されて前記電気信号を送信可能とされ、
主制御装置は、前記ワイヤ状部材の所定量の引き出しを基準として、変位量検出装置からの前記電気信号が前記所定量よりも多い変位量を示すものであることを条件に、前記サブ制御装置へと開放報知コマンドを送信し、
変位量検出装置からの前記引き出し変位量に対応する電気信号が前記所定量よりも少ない変位量を示すものであることを条件に、サブ制御装置へと不正報知コマンドを送信することを特徴とする遊技機の不正行為検出構造。
【請求項３】
請求項２に記載の遊技において、
前記主制御装置は、前記開放報知コマンドを送信すると共に開放報知中フラグを、不正報知コマンドを送信すると共に不正報知中フラグを、各々設定し、
前記開放報知中フラグの設定中に前記変位量検出装置からの電気信号が前記所定量を示すものであることを条件に、閉鎖報知コマンドを送信すると共に開放報知中フラグの設定を解除するように構成され、
前記不正報知中フラグの設定中に前記変位量検出装置からの電気信号が前記所定量を示すものであっても、不正報知中フラグの設定を解除しないことを特徴とする遊技機の不正行為検出構造。
【請求項４】
請求項２又は３に記載の遊技機において、
前記主制御装置は、前記変位量検出装置からの電気信号が前記所定量よりも多い変位量又は少ない変位量を示すものとなってから前記所定量を示すものとなるまでの期間を計時するタイマ手段を設け、
該タイマ手段によりに所定時間に達すると、サブ制御装置へと開放報知コマンド又は異常報知コマンドを送信することを特徴とする遊技機の不正行為検出構造。
【発明の詳細な説明】
【技術分野】
【０００１】
本発明は遊技機の不正行為検出構造、特に内枠および意匠枠の不正な開放を検出する不正行為検出構造に関する。
【背景技術】
【０００２】
一般に遊技機には、図１に示すように、外枠１の内側に図略の遊技盤や電子制御装置類を支持する内枠２が開閉可能に設けられ、さらに内枠２の前面に前記遊技盤の前面を覆う意匠枠３が開閉可能に設けられている。
内枠２および意匠枠３は一方の側端２ａ，３ａがヒンジ部材５で結合されて両枠２，３が同方向に開閉するように構成されている。そして内枠２の開放端側の側端２ｂに設けた施錠装置４により、内枠２と外枠１および内枠２と意匠枠３とを施錠するように構成されている。
【０００３】
ところで、不正に施錠装置４が開錠されて内枠２および意匠枠３が開けられると、内枠２の電子制御基板を交換するなど不正な改造や、賞球の獲得に有利なように遊技盤の遊技釘を不正に操作するなどの不正行為が行われるおそれがある。
そこでこのような不正行為に対して、外枠1と内枠２間、内枠２と意匠枠３間に機械式のスイッチを設け、該スイッチにより内枠２又は意匠枠３が不正開放されたことを検出して不正信号を発し、遊技施設側に報知することが行われている。
【０００４】
しかしながらスイッチによる検出では、不正開放と同時に指などでスイッチの機構部が押えられて不正信号の発信が阻止されると、不正行為が遊技施設側に発見されないといった問題があった。
【０００５】
また従来の遊技機では、施錠装置とは別に内枠又は意匠枠の開放を規制するためのワイヤロック装置を設けることが提案されている（例えば特許文献１、２参照）。
この種のワイヤロック装置は外枠側１に設置され、ワイヤ巻取機構から引き出したワイヤの端末を内枠又は意匠枠に連結して、ワイヤの張力により内枠又は意匠枠の開放を規制して不正に開放されること防止している。また特許文献２には、ワイヤの張力を検知するスイッチを設け、不正にワイヤが切られてロックが解除されても、このことを報知する構成が記載されている。
【０００６】
ワイヤロック装置は、遊技店の従業員によるリモコン操作や、遊技施設の遊技管理室の操作によりロック、ロック解除がなされる。このため、遊技中に不具合が生じて内枠又は意匠枠を開かなければならない場合、従業員は鍵操作による前記施錠装置の開錠と前記リモコン操作によるワイヤロック装置のロック解除又は遊技管理室へのロック解除の要請連絡等を行わなければならない。このため速やかに枠を開いて不具合を解決することができずに遊技客との間でトラブルが発生するおそれがあった。
【先行技術文献】
【特許文献】
【０００７】
【特許文献１】特開平１０−９４６５２号公報
【特許文献２】特開２００３−２９９８６１号公報
【発明の概要】
【発明が解決しようとする課題】
【０００８】
そこで本発明は、内枠又は意匠枠の開放に手間がかからず遊技客とのトラブルを回避することができ、不正行為による内枠又は意匠枠の開放を確実に検知して不正を報知することができる遊技機の不正行為検出構造を実現することを課題としてなされたものである。
【課題を解決するための手段】
【０００９】
請求項１に記載の発明は、機台の外郭をなす外枠と、機台の前面をなす意匠枠と、意匠枠を支持する内枠とを備え、意匠枠と一体に内枠が外枠に対して前後方向に開閉回転可能にヒンジ結合され、かつ意匠枠が内枠に対して前記開閉方向と同一方向に開閉回転可能にヒンジ結合された遊技機において、
ワイヤ状部材と、
自動にワイヤ状部材を巻き取る巻取り手段と、
ワイヤ状部材の引き出し又は巻き取り動作に伴う巻取り手段の回転に応じて、ワイヤ状部材の引き出し変位量を検出するセンサとで変位量検出装置が構成され、
該変位量検出装置を、前記意匠枠および前記外枠のいずれか一方に設置するとともに、
前記意匠枠および前記外枠の他方に前記ワイヤ状部材の先端を、意匠枠と内枠とが外枠に対して閉鎖状態で、ワイヤ状部材の先端が前記巻取り手段から所定量を引き出された状態となるように連結せしめ、かつ意匠枠又は内枠の開放によりワイヤ状部材が引き出されるようになし、
ワイヤ状部材の前記所定量の引き出しを基準として、変位量検出装置によりワイヤ状部材の変位量が前記所定量よりも多く検出されたことを条件に、意匠枠又は内枠の開放の可能性を報知する開放報知手段と、
変位量検出装置によりワイヤ状部材の変位量が前記所定量よりも少なく検出されたことを条件に、不正行為の可能性を報知する不正報知手段と、を設けた。
【００１０】
これによれば、内枠および意匠枠が閉鎖状態にあるとき、変位量検出装置をそのワイヤ状部材が所定量引き出した状態となるように設定するとともに該所定量の引き出しを基準としたことで、意匠枠又は内枠を開放すればワイヤ状部材が引き出されて引出量が所定量よりも多くなることで開放報知を行うことができる一方、開放報知を逃れるために各枠間の隙間からワイヤ状部材を切断するとワイヤ状部材が巻き戻され引出量が所定量よりも少なくなることで不正報知を行うことができ、意匠枠又は内枠を開放した後にワイヤ状部材の引出量を所定量に維持することは困難であり、店内を巡回中の従業員による不正行為の発見を容易にすることができる。また従業員が意匠枠又は内枠を開放する場合、各枠間を施錠した施錠装置を開錠するのみで、変位量検出装置を構うことなく迅速に枠の開放ができる。
【００１１】
請求項２に記載の発明は、請求項１に記載の遊技において、
遊技を司る主制御装置と、
表示、音声等の制御を行うサブ制御装置と、を具備し、
主制御装置は前記開放報知手段および前記不正報知手段を有し、
前記変位量検出装置は、検出した前記ワイヤ状部材の引き出し変位量に対応する電気信号を生成し、前記主制御装置と接続されて前記電気信号を送信可能とされ、
主制御装置は、前記ワイヤ状部材の所定量の引き出しを基準として、変位量検出装置からの前記電気信号が前記所定量よりも多い変位量を示すものであることを条件に、前記サブ制御装置へと開放報知コマンドを送信し、
変位量検出装置からの前記引き出し変位量に対応する電気信号が前記所定量よりも少ない変位量を示すものであることを条件に、サブ制御装置へと不正報知コマンドを送信する構成とした。
【００１２】
これによれば、主制御装置により好適に開放報知コマンドおよび不正報知コマンドを送信することができ、これらのコマンドを受信したサブ制御装置により表示や音声を利用して開放報知および不正報知を好適に行うことができる。
【００１３】
請求項３に記載の発明は、請求項２に記載の遊技において、
前記主制御装置は、前記開放報知コマンドを送信すると共に開放報知中フラグを、不正報知コマンドを送信すると共に不正報知中フラグを、各々設定し、
前記開放報知中フラグの設定中に前記変位量検出装置からの電気信号が前記所定量を示すものであることを条件に、閉鎖報知コマンドを送信すると共に開放報知中フラグの設定を解除するように構成され、
前記不正報知中フラグの設定中に前記変位量検出装置からの電気信号が前記所定量を示すものであっても、不正報知中フラグの設定を解除しない構成とした。
【００１４】
これによれば、不正を行った者がワイヤ状部材を切断後に何らかの方法で所定量を示す信号を装っても、不正報知フラグは設定が解除されないので不正報知が継続される。そして、変位量検出装置のワイヤ状部材を修理し、電源再投入（ＲＡＭクリア）を行うまで不正報知が継続される。
【００１５】
請求項４に記載の発明は、請求項２又は３に記載の遊技機において、
前記主制御装置は、前記変位量検出装置からの電気信号が前記所定量よりも多い変位量又は少ない変位量を示すものとなってから前記所定量を示すものとなるまでの期間を計時するタイマ手段を設け、
該タイマ手段によりに所定時間に達すると、サブ制御装置へと開放報知コマンド又は異常報知コマンドを送信する構成とした。
【００１６】
これによれば、開放報知および不正報知の誤報を防ぐことができる。
【図面の簡単な説明】
【００１７】
【図１】本発明を適用した実施形態と、本実施形態に関連する遊技機の外枠、内枠および意匠枠を示す概略斜視図である。
【図２】前記実施形態の要部を示す概略側面図である。
【図３】前記遊技機の電気ブロック図である。
【図４】前記遊技機の主制御装置で実行されるメインルーチンの制御内容を示すフローチャートである。
【図５】前記主制御装置で実行される開放報知処理の制御内容を示すフローチャートである。
【図６】前記主制御装置で実行される閉鎖報知処理の制御内容を示すフローチャートである。
【図７】前記主制御装置で実行される不正報知処理の制御内容を示すフローチャートである。
【図８】前記主制御装置で実行される不正報知解除処理の制御内容を示すフローチャートである。
【発明を実施するための最良の形態】
【００１８】
本発明の第１の実施形態を説明する。図１に示すように、本実施形態を適用した遊技機たるパチンコ機Ｐは、従来構造と同様に外枠１、内枠２および意匠枠３で構成されている。外枠１は縦長の矩形状でその前面側かつ内側に内枠２が設けられている。内枠２は一方の側端２ａ（図１の左側）の上端および下端がヒンジ部材５，５により外枠１に結合され、水平前後方向に開閉可能である。図略ではあるが、内枠２には前側に遊技盤が設置され、遊技盤の背面側に電子制御装置などが設置される。
【００１９】
意匠枠３は、内枠２の前面を覆うように設けられ、内枠２と同様に一方の側端３ａが上下のヒンジ部材５，５により水平前後方向に開閉可能に設けられている。尚、意匠枠３は内枠２に支持され、内枠２の開放時にはこれと一体に開き移動し、かつ単独でも内枠２に対して開閉可能である。
意匠枠３には図略のガラス板が嵌め込まれ、該ガラス板で内枠２の前記遊技盤の前面を覆うとともに、遊技者がガラス板を通して遊技盤と対面するようにしてある。また、意匠枠３にはその前面下部に遊技盤へ発射する遊技球を貯留する上皿、下皿および遊技球の遊技盤への発射を操作する発射ハンドル等が設けられている。
【００２０】
内枠２には、その開放端側の他方の側端２ｂに上下方向に沿う施錠装置４が設置され、施錠装置４により内枠２の他方の側端２ｂを外枠１に施錠するとともに、内枠２の他方の側端２ｂに意匠枠３の開放端側の他方の側端３ｂを施錠せしめるようにしてある。
施錠装置４には、上下方向の複数個所に後方へ突出する複数の係止片４１が設けられ、これらの係止片４１を外枠１に設けられた複数の係合部１１に係脱可能に係止せしめて内枠２を閉鎖施錠する。更に施錠装置４には、上下方向の複数個所に前方へ突出する複数の係止片４２が設けてあり、これらの係止片４２を意匠枠３に設けられた複数の係合部３１に係脱可能に係止せしめて意匠枠３を閉鎖施錠する。
【００２１】
パチンコ機Ｐは、外枠１を遊技施設の島設備に固定することで遊技施設に設置される。そしてパチンコ機Ｐの裏面側で操作が必要なときには施錠装置４を図略の鍵の操作により開錠し内枠２を開放してその裏面側での作業を行う一方、遊技盤の前面で球詰り解消などの作業が必要なときには施錠装置４を開錠し意匠枠３を開放して内枠２の前面側の作業を行うようにしてある。
【００２２】
そして図１、図２に示すように、パチンコ機Ｐには外枠１と意匠枠３との間で、内枠２又は意匠枠３の開放を検出する検出装置６が設けられている。検出装置６は、フレキシブルなワイヤ６０と、ワイヤ６０の基端側に設けられ、順逆方向に回転可能かつ順方向へ回転付勢され、自動に順方向への回転することによりワイヤ６０を巻き取る一方、ワイヤ６０が外へ引っ張られると前記付勢力に抗して逆方向へ回転してワイヤ６０を引き出し可能なリール部材６１とを備える。リール部材６１は角形ケース内に収納されている。尚、検出装置６は特許請求の範囲に記載の「変位量検出装置」に相当し、リール部材６１は「巻取り手段」に相当する。
【００２３】
そして検出装置６には、リール部材６１のケースの外側面に、リール部材６１の中心回転軸６１０に連結されて、リール部材６１の回転変位量に基づいてワイヤ６０の引き出し変位量を検出するセンサ６２が設けられている。センサ６２は検出したワイヤ６０の引き出し変位量に対応する電気信号を発信する構成である。尚、ワイヤ６０、リール部材６１およびセンサ６２を備えた検出装置６として、既製のワイヤ式アブソリュートエンコーダを好適に用いることができる。アブソリュートエンコーダは電源投入時に原点復帰の必要がなく、ワイヤの引出量に応じた信号を出力するため適している。
【００２４】
検出装置６は、ワイヤ６０を前方へ引き出し可能なようにリール部材６１のケースが外枠１の枠内面に設置固定される。そして、ワイヤ６０を前方へ所定量引き出した状態で、外枠１に対して閉じた状態の内枠２の抜き穴を貫通せしめるとともに、ワイヤ６０の先端部６００を外枠１および内枠２に対して閉じた状態の意匠枠３の裏面の側縁３ｂ寄りの位置に連結してある。
【００２５】
検出装置６は、例えばリール部材６１の外周の一点が下向きのＺ位置にあるときを巻き取り完了位置とすると、該位置からリール部材６１が引き出し方向（矢印Ｓ方向）に半回転して、前記一点が上向きのＹ位置となったときにワイヤ６０の先端６００を閉鎖状態の意匠枠３に連結したとすると、前記リール部材６１の半回転分のワイヤ引出量が、前記所定量となって、内枠２および意匠枠３の閉鎖状態の基準となる。そしてセンサ６２は前記所定量に対応して基準の信号を出力する。尚、前記所定量はその前後１〜３ｍｍ程度の許容範囲を設けてもよいが、枠の組み付け精度を高めて極力小さくすることが望ましい。
【００２６】
そして内枠２又は意匠枠３が開かれて、ワイヤ６０が引き出され、リール部材６１が矢印Ｓ方向へ回転することにより、センサ６２は引出量が前記所定量（以下、基準量と言う）より多いことを示す信号を出力する。
一方、ワイヤ６０の切断等によりワイヤ張力が無くなると、リール部材６１がその前記回転付勢力により矢印Ｔ方向に回転して巻き取り完了位置（Ｚ位置）に戻ると、センサ６２は引出量が前記所定量より少ないことを示す信号を出力する。
【００２７】
また、内枠２の側縁２ｂの上端付近には内枠２の開閉に伴いオン・オフする内枠開放スイッチ６６が設けられている（図１）。スイッチ６６は、揺動可能な操作片と、操作片の揺動により開閉可能な接点とを備えたリミットスイッチで、スイッチ本体が内枠２側に設置され、内枠２の閉鎖時に操作片が外枠１側に当接し押圧されて前記接点が閉じ、電気信号を発信する。
【００２８】
次に本パチンコ機Ｐの電気的構成を説明する。図３に示すように、パチンコ機Ｐは制御装置として主制御装置８０、払出制御装置８１、サブ統合制御装置８２、演出図柄制御装置８３および発射制御装置８４を備え、詳細の図示は省略するが、これらの制御装置はいずれもＣＰＵ、ＲＯＭ、ＲＡＭ、入力ポート、出力ポート等を備えている。
【００２９】
主制御装置８０は、裏配線中継端子板および外部接続端子板を介して遊技施設のホールコンピュータと電気的に接続されている。主制御装置８０には、裏配線中継端子板を介して、意匠枠３の開放を検出する前記検出装置６のセンサ６２、および内枠２の開放を検出する前記内枠開放スイッチ６６と電気的に接続され、センサ６２およびスイッチ６６からの検出信号が入力される。
また遊技盤中継端子板を介して、遊技盤上の特図始動口への入球を検出する特図始動口ＳＷ、複数の普図始動口への入球を検出する第１および第２普図作動ＳＷ、大入賞口への入球を検出するカウントＳＷ、左右の普通入賞口への入球を検出する左右の入賞口ＳＷ等の検出信号が入力される。
【００３０】
また主制御装置８０は搭載しているプログラムに従って動作して、上述の各検出信号などに基づいて遊技の進行に関わる各種のコマンドを生成し、払出制御装置８１や、演出中継端子板を介してサブ統合制御装置８２および演出図柄制御装置８３にコマンドを出力する。なお、主制御装置８０に対して払出制御装置８１やサブ統合制御装置８２および演出図柄制御装置８３はサブ制御装置である。
【００３１】
更に主制御装置８０は図柄表示装置中継端子板を介して特別図柄表示装置、特図保留数表示装置、普通図柄表示装置および普図保留数表示装置と接続され、これらの表示制御を行なう。
更にまた主制御装置８０は、大入賞口ソレノイドおよび普電役物ソレノイドと接続されており、大入賞口ソレノイドを駆動して大入賞口を開放作動せしめるとともに、普電役物ソレノイドを制御して普通電動役物を開閉作動せしめる。
【００３２】
払出制御装置８１は、球タンクが空状態になったことを検出する球切れＳＷ、遊技球が払い出されたことを検出する払出ＳＷ、遊技球貯留皿が満杯状態になったことを検出する満杯ＳＷ等と接続され、これらの検出信号が入力される。そして主制御装置８０から送られてくるコマンドに応じて払出モータを稼働させて遊技球を払い出させる。また、ＣＲユニットと電気的に接続され、精算表示装置を介して球貸および精算ＳＷによる貸出要求、精算要求の操作信号を受け付け、ＣＲユニットとデータを送受し、貸出要求信号に応じて払出モータを稼働させて貸球を払い出させる。尚、プリペイドカードの残高表示はＣＲユニットで制御する。
【００３３】
発射制御装置８４は、発射停止ＳＷ、発射ハンドルに遊技者が接触（操作）していることを検出するタッチＳＷ等の検出信号が入力される。払出制御装置８１を介して主制御装置８０から送られてくるコマンド（タッチＳＷの信号や遊技状況を反映している）、発射ハンドルの回動信号および発射停止ＳＷの信号に基づいて発射モータを制御して遊技球を発射および停止させる。
【００３４】
サブ統合制御装置８２は、音量調節ＳＷや演出ボタンなどの検出信号が入力される。主制御装置８０から送られてくるコマンドに応じて、スピーカを駆動して音声を出力することや、各種ＬＥＤや各種ランプの点灯、消灯等を制御する。更に演出図柄制御装置８３へキャラクタなどを表示する擬似演出や普通図の擬似図柄の表示態様のコマンドを送信する。
【００３５】
演出図柄制御装置８３は、ＬＣＤパネルユニットや付属ユニットと共に演出図柄表示装置を構成している。演出図柄制御装置８３は、サブ統合制御装置８２から送られてくるコマンドに応じてＬＣＤパネルの表示を制御する。
【００３６】
図４は主制御装置４０で実行される「メインルーチン」のフローチャートを示し、「メインルーチン」は本処理（Ｓ１００〜Ｓ１１０，Ｓ１１５）と残余処理（Ｓ１１１）とで構成され、２ｍｓ又は４ｍｓ周期の割り込み信号に起因して開始され、最初に正常割り込みか否かを判断する（Ｓ１００）。この判断はＲＡＭの特定アドレスに特定の数値が書き込まれているか否かに基づいて行われ、ここで否定判断（Ｓ１００：ｎｏ）なら初期設定（Ｓ１１５）を実行する。前述の正常割り込みか否かを判断するための数値は、この初期設定の一環としてＲＡＭに書き込まれる。
【００３７】
正常割り込みなら（Ｓ１００：ｙｅｓ）、初期値乱数更新処理（Ｓ１０１）、特図の当否判定用の乱数値である大当り決定用乱数の更新処理（Ｓ１０２）、特図の大当り図柄決定用乱数の更新処理（Ｓ１０３）、普図の当り判定用乱数の更新処理（Ｓ１０４）、特図のリーチに関するリーチ判定用乱数の更新処理（Ｓ１０５）、特図の変動パターンに関する変動パターン決定用乱数の更新処理（Ｓ１０６）、入賞確認処理（Ｓ１０７）、当否判定処理（Ｓ１０８）、各出力処理（Ｓ１０９）、不正監視処理（Ｓ１１０）を行って、次に割り込み信号が入力されるまでの残余時間内には初期乱数更新処理（Ｓ１１１）をループ処理する。
【００３８】
次に、本発明の内枠２又は意匠枠３の開放検出に関わりの深い不正監視処理（Ｓ１１０）の一部のサブルーチンについて説明する。図５に示す「開放報知処理」は内枠２又は意匠枠３の開放検出を行う処理で、特許請求の範囲に記載の「開放報知手段」に相当する。この処理では、先ずＳ２００の処理において、後述する第１タイマ（タイマ１）が計時中であるか否かの確認を行う。計時中でなければ（Ｓ２００：ｎｏ）、Ｓ２０１の処理により前記検出装置６のセンサ６２からの検出信号が前記基準量よりも多い引出量を示すものであるか否かの確認を行う。検出信号が基準量よりも多い信号（多検出信号）であれば（Ｓ２０１：ｙｅｓ）、後述する開放報知フラグが「１」であるか否かの確認を行い（Ｓ２０２）、開放報知フラグが「１」でなければ（Ｓ２０２：ｎｏ）、多検出信号確認からの時間を計る第１タイマの計時を開始する（Ｓ２０３）。
尚、Ｓ２００において第１タイマ計時中は（Ｓ２００：ｎｏ）多検出信号を受付けない。またＳ２０１において検出信号が基準量以下のとき（Ｓ２０１：ｎｏ）、Ｓ２０２で開放報知フラグが「１」のとき（Ｓ２０２：ｙｅｓ）にはリターンする。
【００３９】
次にＳ２０４では予め設定された所定の時間が経過して第１タイマがタイムアップしたことを確認すると（Ｓ２０４：ｙｅｓ）、Ｓ２０５の処理において、まだセンサ６２から前記基準量よりも多い引出量を示す多検出信号があるか否かの確認を行う。多検出信号がまだあれば（Ｓ２０５：ｙｅｓ）、内枠２又は意匠枠３が開いていることを示す開放報知フラグに「１」をセットして（Ｓ２０６）、続くＳ２０７の処理において、サブ統合装置８２へ内枠２又は意匠枠３の開放報知コマンドを送信する処理を行う。
【００４０】
尚、該Ｓ２０７の処理では、内枠２の開放を検出する前記内枠開放スイッチ６６の入力を確認し、内枠２の開放であるか意匠枠３の開放であるかを確認する。即ち前記センサ６２からの多検出信号により意匠枠３が開放状態であると分かっても、この開放が意匠枠３の単独の開放であるが内枠２と一体の開放であるか多検出信号からは判断できない。そこでセンサ６２の信号と内枠開放スイッチ６６の入力を組み合わせて確認し、多検出信号と内枠開放入力があれば内枠２と意匠枠３とが一体に開放しており内枠２の開放と判断して内枠開放報知コマンドをサブ統合装置８２へ送信する。
一方、多検出信号のみであれば、意匠枠３の単独開放と判断して意匠枠開放報知コマンドを送信する。
また主制御装置８０は、ホールコンピュータへも内枠２又は意匠枠３の開放報知を行う。
【００４１】
開放報知コマンドを受信したサブ統合制御装置８２は、ＬＥＤやランプ類、音声等を用いて内枠２又は意匠枠３の開放を報知する。また演出図柄表示装置８３を介して演出図柄表示装置でも開放を報知させることが望ましい。
【００４２】
また「開放報知処理」では第１のタイマのカウントアップを待ってセンサ６２からの多検出信号があれば開放報知するので、電気ノイズなどの影響を受け難く、誤報を防止できる。開放報知は枠のがたつき等によっても生じる可能性があるため、通常のノイズ対策に比べて長くしておいた方がよく、第１のタイマのカウント時間は２００ｍｓ程度が望ましい。第１のタイマは特許請求の範囲に記載の「タイマ手段」に相当する。
【００４３】
図６に示す「閉鎖報知処理」は内枠２および意匠枠３が閉じられたときに閉鎖報知コマンドを送信する処理である。本処理では、先ずＳ３００の処理において、前記センサ６２からの検出信号が前記基準量であるか否かの確認を行う。検出信号が基準量であれば（Ｓ３００：ｙｅｓ）、開放報知フラグが「１」であるか否かの確認を行う（Ｓ３０１）。開放報知フラグが「１」であれば（Ｓ３０１：ｙｅｓ）、開放報知フラグに「０」をセットして（Ｓ３０２）、続くＳ３０３の処理において、サブ統合装置８２へ内枠２および意匠枠３の閉鎖報知コマンドを送信する処理を行う。これにより、閉鎖報知コマンドを受信したサブ統合制御装置８２は、内枠２又は意匠枠３の開放報知を終了する。尚、Ｓ３０２の処理で開放報知フラグを「０」にクリアするとともに、前記第１タイマのカウント（計時）もクリアすることが望ましい。
【００４４】
次に、図７に示す「不正報知処理」は不正に内枠２又は意匠枠３を開放するためにワイヤ６０が切断されたことの報知を行う処理で、特許請求の範囲に記載の「不正報知手段」に相当する。本処理では、先ずＳ４００の処理において、後述する第２タイマ（タイマ２）が計時中であるか否かの確認を行う。計時中でなければ（Ｓ４００：ｎｏ）、Ｓ４０１の処理により前記センサ６２からの検出信号が前記基準量よりも少ない引出量を示すものであるか否かの確認を行う。検出信号が基準量よりも少ない信号（少検出信号）であれば（Ｓ４０１：ｙｅｓ）、後述する不正報知フラグが「１」であるか否かの確認を行い（Ｓ４０２）、不正報知フラグが「１」でなければ（Ｓ４０２：ｎｏ）、少検出信号確認からの時間を計る第２タイマの計時を開始する（Ｓ４０３）。
尚、Ｓ４００において第２タイマ計時中（Ｓ４００：ｎｏ）は少検出信号を受付けない。またＳ４０１において検出信号が基準量以上のとき（Ｓ４０１：ｎｏ）、Ｓ４０２で不正報知フラグが「１」のとき（Ｓ４０２：ｙｅｓ）にはリターンする。
【００４５】
次にＳ４０４では予め設定された所定の時間が経過して第２タイマがタイムアップしたことを確認すると（Ｓ４０４：ｙｅｓ）、Ｓ４０５の処理において、まだセンサ６２から前記基準量よりも少ない引出量を示す少検出信号があるか否かの確認を行う。少検出信号がまだあれば（Ｓ４０５：ｙｅｓ）、ワイヤ６０が切断されたことを示す不正報知フラグに「１」をセットして（Ｓ４０６）、続くＳ４０７の処理において、サブ統合装置８２へワイヤ６０の切断による不正行為を示す不正報知コマンドを送信する処理を行う。
また主制御装置８０は、ホールコンピュータへも不正報知を行う。
【００４６】
不正報知コマンドを受信したサブ統合制御装置８２は、ＬＥＤやランプ類、音声等を用いて不正行為を報知する。また演出図柄表示装置８３を介して演出図柄表示装置でも不正行為を報知させることが望ましい。
「不正報知処理」では第２のタイマのカウントアップを待ってセンサ６２からの少検出信号があれば開放報知するので、電気ノイズなどの影響を受け難く、誤報を防止できる。尚、開放報知とは異なり、枠のがたつきによって生じることは考え難いため、第２のタイマのカウント時間は５０ｍｓ程度が望ましい。また、カウント時間を「０」として、実質的に少検出信号に基づいて、直ちに不正報知を行う構成でもよい。第２のタイマは特許請求の範囲に記載の「タイマ手段」に相当する。
【００４７】
図８に示す「不正報知解除処理」はワイヤ６０が修理され正常に検出装置６が機能するときに不正報知を解除する処理である。本処理では、先ずＳ５００の処理において、パチンコ機の電源が再投入（ＲＡＭクリア又は状態復帰）されたか否かの確認を行う。電源再投入があれば（Ｓ５００：ｙｅｓ）、前記センサ６２からの検出信号が前記基準量であるか否かを確認し（Ｓ５０１）、検出信号が基準量であれば（Ｓ５０１：ｙｅｓ）、不正報知フラグが「１」であるか否かの確認を行う（Ｓ５０２）。不正報知フラグが「１」であれば（Ｓ５０２：ｙｅｓ）、不正報知フラグに「０」をセットして（Ｓ５０３）、続くＳ５０４の処理において、サブ統合装置８２へ不正解除報知コマンドを送信する処理を行う。これにより、不正解除報知コマンドを受信したサブ統合制御装置８２は、不正報知を終了する。尚、Ｓ５０３の処理で不正報知フラグを「０」にクリアするとともに、前記第２タイマのカウント（計時）もクリアすることが望ましい。
【００４８】
本実施形態によれば、意匠枠３と外枠１との間に検出装置６の引き出し、巻き取り可能に設けられたワイヤ６０を架け渡し、かつ巻き取り位置よりも所定量引き出した状態を内枠２および意匠枠３の閉鎖状態の基準としたので、内枠２又は意匠枠３が開放されてワイヤ６０の引出量が基準（所定量）よりも多くなることで開放報知を行うことができる一方、開放報知を逃れるために各枠１，２，３間の隙間からワイヤ６０を切断すると残ったワイヤが巻き取られ引出量が基準よりも短くなることで不正報知を行うことができ、内枠２又は意匠枠３を開放した後にワイヤの引出量を基準に維持することは困難となり、店内を巡回中の従業員による不正行為の発見を容易にすることができる。また従業員が内枠２又は意匠枠３を開放する場合、各枠１，２，３間を施錠した施錠装置４を開錠するのみで、従来のようにリモコンの操作や管理室への連絡といった手間が掛からず、かつ検出装置６を構うことなく迅速に枠の開放ができる。
【００４９】
またワイヤ６０の切断による不正の報知は、電源が再投入（ＲＡＭクリア）されるまでは、不正を行った者がワイヤ６０を切断後に何らかの方法で所定量を示す信号を装っても、不正報知フラグはクリアされないので不正報知が継続される。そして、検出装置６のワイヤ６０を修理し、電源再投入を行うまで不正報知が継続される。即ち修理しなければ、電源再投入後であっても不正報知を再開することができる。
【００５０】
尚、特許請求の範囲に記載の本発明は前記実施形態の構成に限定されるものではなく、本発明の要旨を逸脱しない範囲でさまざまに実施できることは勿論である。例えば、検出装置本体を意匠枠に設けるとともにワイヤの先端を外枠に連結してもよいし、前記実施形態では「開放報知処理」、「閉鎖報知処理」、「不正報知処理」、「不正報知解除処理」を主制御装置８０で実行するように構成したが、これに限らず、これらの処理をサブ統合正常装置８２などサブ制御装置で実行するようにしてもよい。
【符号の説明】
【００５１】
Ｐ  パチンコ機（遊技機）
１  外枠
２  内枠
３  意匠枠  
４  施錠装置
５  ヒンジ
６  検出装置（変位量検出装置）
６０  ワイヤ（ワイヤ状部材）
６１  リール部材（巻取り手段）
６２  センサ
８０  主制御装置（開放報知手段、不正報知手段、タイマ手段）
８２  サブ統合制御装置(サブ制御装置)
【図１】
2013220289.tif 000003
【図２】
2013220289.tif 000004
【図３】
2013220289.tif 000005
【図４】
2013220289.tif 000006
【図５】
2013220289.tif 000007
【図６】
2013220289.tif 000008
【図７】
2013220289.tif 000009
【図８】
2013220289.tif 000010